(57)【要約】【課題】症状から病名とその病気に関する情報を検索するためのシステムを提供することを目的とする。【解決手段】ユーザが、症状を入力すると、医学書の情報が格納されたデータベースの中から、病気の候補を検索する。ユーザが、病気の候補から１つを選択すると、データベースの中から、その病気に関する情報が検索される。ユーザが検索した病名は登録される。【選択図】　図１
2004118566.tif 000002
【特許請求の範囲】
【請求項１】
医学書の情報が格納されたデータベースと、該データベースより情報を検索するための検索部と、を有し、該検索部は、上記データベースより、ユーザが入力した条件に該当する医療情報を検索するように構成されている医療情報検索装置。
【請求項２】
請求項１記載の医療情報検索装置において、上記検索部は、上記データベースより、ユーザが入力した症状に該当する病名を検索することを特徴とする医療情報検索装置。
【請求項３】
請求項１記載の医療情報検索装置において、上記検索部は、上記データベースより、ユーザが入力した症状に該当する病気に関する情報を検索することを特徴とする医療情報検索装置。
【請求項４】
請求項１記載の医療情報検索装置において、ユーザが検索した履歴を記憶するための記憶部が設けられていることを特徴とする医療情報検索装置。
【請求項５】
請求項１記載の医療情報検索装置において、上記データベースは、市販の医学書の電子化データより構成されることを特徴とする医療情報検索装置。
【請求項６】
請求項１記載の医療情報検索装置において、上記データベースは、医学書の目次を含むことを特徴とする医療情報検索装置。
【請求項７】
電子化された医学書の目次情報である項目番号と該項目番号に対応する病名を格納するための目次情報記憶部と、該目次情報記憶部に格納された項目番号と病名を検索するための目次情報検索部と、症状とそれに対応する上記項目番号を格納するための症状情報記憶部と、該症状情報記憶部に格納された症状と項目番号を検索するための症状情報検索部と、上記目次情報検索部又は上記症状情報検索部によって検索された結果を表示するための表示部と、ユーザが情報又は命令を入力するための入力部と、を有し、上記症状情報検索部はユーザが入力した症状に基づいて上記症状情報記憶部に格納された項目番号を検索し、上記目次情報検索部は上記症状情報検索部が検索した項目番号に基づいて上記目次情報記憶部に格納された病名を検索し、該検索した病名のリストを上記表示部に表示することを特徴とする医療情報検索装置。
【請求項８】
請求項７の医療情報検索装置において、更に、上記医学書の項目番号に対応した医療情報を格納するための医療情報記憶部と、該医療情報記憶部に格納された医療情報を検索するための医療情報検索部と、を有し、上記医療情報検索部はユーザが上記病名のリストより選択した病名に基づいて上記病名に関する情報を検索し、該検索した情報を上記表示部に表示することを特徴とする医療情報検索装置。
【請求項９】
請求項７の医療情報検索装置において、検索結果を格納するための履歴記憶部を設け、上記症状情報検索部は、ユーザが入力した情報と上記履歴記憶部からの情報に基づいて上記症状情報記憶部に格納された項目番号を検索することを特徴とする医療情報検索装置。
【請求項１０】
請求項７の医療情報検索装置において、ユーザの入力操作に基づいて検索結果を格納するためのしおり記憶部を設け、上記症状情報検索部は、ユーザが入力した情報と上記しおり記憶部からの情報に基づいて上記症状情報記憶部に格納された項目番号を検索すること特徴とする医療情報検索装置。
【請求項１１】
症状のリストを表示装置に表示するための症状表示ステップと、
上記症状のリストよりユーザが選択した症状に対応する病名を検索するための病名検索ステップと、
上記検索した病名のリストを表示装置に表示するための病名表示ステップと、上記病名のリストよりユーザが選択した病名に関する情報を検索するための情報検索ステップと、
上記検索した情報を表示装置に表示するための情報表示ステップと、
を含み、
上記病名検索ステップ及び上記情報検索ステップは、医学書の情報が格納されたデータベースを使用して検索することを特徴とする医療情報検索方法。
【請求項１２】
請求項１１の医療情報検索方法において、更に、ユーザが検索した履歴を記憶するための履歴記憶ステップを含むことを特徴とする医療情報検索方法。
【請求項１３】
請求項１１の医療情報検索方法をコンピュータに実行させるためのプログラム。
【請求項１４】
請求項１３記載のプログラムを格納したコンピュータによって読み取り可能な記録媒体。
【発明の詳細な説明】
【０００１】
【発明の属する技術分野】
本発明は、コンピュータを使用した情報検索システムに関し、特に、病気に関する情報を検索するためのシステムに関する。
【０００２】
【従来の技術】
従来、コンピュータを利用して診療を支援するためのシステム又は医療情報を検索するためのシステムが知られている。例えば、特開昭６２−２４５３７３及び特開昭６３−１５０７５８には、コンピュータを使用した問診支援システムが記載されている。
【０００３】
更に、特開平９−１９８４４６、特公平７−１１７９７２及び特開２０００−４８１０１には、コンピュータを使用して診療情報をデータベース化し、その症状に対応する病名を検索するための検索システが記載されている。
【特許文献１】
特開昭６２−２４５３７３
【特許文献２】
特開昭６３−１５０７５８
【特許文献３】
特開平９−１９８４４６
【特許文献４】
特公平７−１１７９７２
【特許文献５】
特開２０００−４８１０１
【０００４】
【発明が解決しようとする課題】
ところで、現在、家庭用の医学書や育児書などの医療に関する書籍が広く普及しており、それら書籍の内容を電子化されたものも数多く存在している。これらの医学書を利用することによって、医療情報を得ることができる。
【０００５】
しかしながら、これらの医学書は、病名が既知である場合に、その病気に関する知識を得るために使用する場合に便利であるが、症状から病名及びその病気に関する知識を得る場合に不便である。
【０００６】
【課題を解決するための手段】
本発明の医療情報検索装置は、医学書の情報が格納されたデータベースと、該データベースより情報を検索するための検索部と、を有し、該検索部は、上記データベースより、ユーザが入力した条件に該当する医療情報を検索する。
【０００７】
上記検索部は、上記データベースより、ユーザが入力した症状に該当する病名を検索する。上記検索部は、上記データベースより、ユーザが入力した症状に該当する病気に関する情報を検索する。更に、ユーザが検索した履歴を記憶するための記憶部が設けられている。
【０００８】
こうして本発明は、一般の人が自分の症状から病名とその病気に関する情報を簡単に得ることができるシステムを提供する。病名およびその病気の情報の検索には、家庭において使用される医学書や育児書を電子化したデータベースを利用するため、データベースを作成する労力が省略される。
【０００９】
【発明の実施の形態】
以下にこの発明の具体的な実施の形態について図面に基づいて詳細に説明する。なお、この実施の形態によってこの発明が限定されるものではない。
【００１０】
図１を参照して本発明による医療情報検索装置の第１の例を説明する。本例の医療情報検索装置は、ユーザが情報又は命令を入力するための入力部１と、入力部１からの情報又は命令を各検索部へ送信し又は各検索部からの検索結果を表示部９へ出力するための制御部２と、病気の症状とそれに関連する項目番号の情報を格納するための症状情報記憶部６と、制御部２からの情報又は命令に基づいて症状情報記憶部６に格納された情報を検索し、検索結果を制御部２へ送信するための症状情報検索部３と、電子化された医学書の目次情報を格納するための目次情報記憶部７と、制御部２からの情報又は命令に基づいて目次情報記憶部７に格納された情報を検索し、検索結果を制御部２へ送信するための目次情報検索部４と、電子化された医学書の解説情報を格納するための医療情報記憶部８と、制御部２からの情報又は命令に基づいて医療情報記憶部８に格納された情報を検索し、検索結果を制御部２へ送信するための医療情報検索部５と、制御部２からの情報又は命令によって検索結果又解説を表示するための表示部９と、を有する。
【００１１】
症状情報記憶部６は、図４に示すように、「症状」と「項目番号」の対応関係を示すテーブルを有する。目次情報記憶部７は、図５又は図６に示すように、「項目番号」と「表示データ」と「解説へのリンク」の対応関係を示すテーブルを有する。医療情報記憶部８は、図９に示すように、「解説へのリンク」と「表示データ」の対応関係を示すテーブルを有する。
【００１２】
本例によると、目次情報記憶部７は、電子化された医学書の目次情報を格納し、医療情報記憶部８は、電子化された医学書の解説情報を格納する。電子化された医学書は、家庭において使用される市販の医学書や育児書の電子化データであってよい。こうして本例では、市販の医学書や育児書の電子化データを利用するため、医療情報のデータベースを作成する必要がない利点が得られる。
【００１３】
次に、図２〜図１０を参照して、本発明による医療情報検索装置を用いた検索手順について説明する。図２は、医療情報検索装置を用いた検索手順を概略的に示すフローチャートである。
【００１４】
ステップ１０１にて、制御部２は症状情報記憶部６に記憶された症状のリストを表示部９に表示する。表示部９の画面には、図３に示すように、症状のリストと決定ボタンが表示される。
ステップ１０２にて、ユーザは、入力部１によって、症状のリストの中から自覚症状に該当するもの又はそれに近い症状を複数個選択する。図３は、ユーザが「頭が痛い」と「発熱」を選択した場合を示す。
【００１５】
ここで、ユーザが、各症状のさらに詳細な状態を入力することができるように構成してもよい。例えば、「発熱」をクリックすると、「微熱」「３８度以上３９度以下」「３９度以上４０度以下」「４０度以上」のように、発熱状態を選択するための画面が表示されてよい。更に発熱が継続している日数を入力又は選択するように構成してもよい。
【００１６】
ステップ１０３にて、制御部２は、ユーザが決定ボタンをクリックしたかどうかを判断する。クリックしてない場合にはステップ１０２へ戻る。ステップ１０２〜１０３を繰り返し、最後に「決定ボタン」をクリックすると、ステップ１０４へ進む。
【００１７】
ステップ１０４にて、制御部２は入力部１によって入力された「症状」の情報を症状情報検索部３へ送信する。症状情報検索部３は、症状情報記憶部６から、「症状」に対応する「項目番号」を検索する。症状情報記憶部６は、図４に示すように、「症状」と「項目番号」の対応関係を示すテーブルを有する。
【００１８】
ステップ１０５にて、症状情報検索部３は、全ての症状に対する「項目番号」の中に共通する項目番号が存在するか否かを判定する。共通する項目番号が存在するならステップ１０６へ進み、存在しなければ終了する。
【００１９】
上述のように、ユーザが「頭が痛い」と「発熱」を選択したとする。図４に示すように、「頭が痛い」に対応する項目番号は「３３，３４，４，４４，５，５３，５４…」であり、「発熱」に対応する項目番号「３３，３４，４６，５１，５６，５３，５４…」である。従って、全ての症状に対応する項目番号のうち、共通の項目番号は「３３，　３４，　５３，　５４」である。
【００２０】
ステップ１０６にて、症状情報検索部３は全ての症状に共通の項目番号を制御部２に送信する。制御部２は、共通の項目番号を目次情報検索部４に送信する。図４の例では、制御部２は、共通の項目番号「３３，　３４，　５３，　５４」を目次情報検索部４に送信する。
【００２１】
目次情報検索部４は、目次情報記憶部７から、共通の項目番号の各々に対応する「表示データ」と「解説へのリンク」の情報を読み出す。目次情報記憶部７は、図５に示すように、「項目番号」と「表示データ」と「解説へのリンク」の対応関係を示すテーブルを有する。尚、図６のテーブルの例のように、「表示データ」には、病名ばかりでなく代表的な症状を付加してもよい。
【００２２】
図５に示すように、例えば、共通の項目番号「３３，　３４，　５３，　５４」のうち、項目番号「３３」に対応する「表示データ」は「脳炎」であり、「解説へのリンク」は「３５３」である。また、項目番号「３４」に対応する「表示データ」は「髄膜炎」であり、「解説へのリンク」は「３５４」である。また、項目番号「５３」に対応する「表示データ」は「インフルエンザ」であり、「解説へのリンク」は「５５３」である。項目番号「５４」に対応する「表示データ」は「かぜ症候群」であり、「解説へのリンク」は「５５１」である。
目次情報検索部４は、目次情報記憶部７より読み出した、共通の項目番号の各々に対応する「表示データ」と「解説へのリンク」を制御部２に送信する。
【００２３】
ステップ１０７にて、制御部２は目次情報検索部４より受信した情報のうち「表示データ」の病名のリストを表示部９に表示する。図７は、表示部９の画面に表示された病名のリストを示す。尚、図８に示すように、病名のリストばかりでなく、代表的な症状を付加して表示してもよい。この場合、図６に示したテーブルが使用される。
【００２４】
ステップ１０８にて、ユーザは、「表示データ」のリストより、解説を読みたいと思う病名を選択する。図７及び図８は、ユーザが「かぜ症候群」を選択した場合を示す。尚、図８に示したように、病名のリストばかりでなく、代表的な症状を付加して表示することによって、ユーザは、自分の症状により適合した病気を選択することができる。
【００２５】
ステップ１０９にて、制御部２は、ユーザが選択した病名に対応する「解説へのリンク」を医療情報検索部５へ送信する。図７は、ユーザが「かぜ症候群」を選択した場合を示す。この場合には、「解説へのリンク」情報は、図５に示すように、「５５１」である。医療情報検索部５は、「解説へのリンク」に基づいて、医療情報記憶部８からその病名の「表示データ」を読み出す。医療情報記憶部８は、図９に示すように、「解説へのリンク」と「表示データ」の対応関係を示すテーブルを有する。医療情報検索部５は、読み出した「表示データ」を制御部２へ送信する。
【００２６】
ステップ１１０にて、制御部２は受信した「表示データ」を表示部９へ出力する。表示部９は、ユーザが選択した病名の「表示データ」を表示する。図１０は、表示部９の画面に表示された「かぜ症候群」の「表示データ」を示す。
【００２７】
図１１を参照して、本発明による医療情報検索装置の第２の例を説明する。本例の医療情報検索装置は、ユーザが情報又は命令を入力するための入力部１と、入力部１からの情報又は命令を各検索部へ送信し又は各検索部からの検索結果を表示部９へ出力するための制御部２と、過去に検索した結果を格納するための履歴記憶部１０と、病気の症状とそれに関連する項目番号の情報を格納するための症状情報記憶部６と、制御部２からの情報又は命令又は履歴記憶部１０からの情報に基づいて症状情報記憶部６に格納された情報を検索し、検索結果を制御部２へ送信するための症状情報検索部３と、電子化された医学書の目次情報を格納するための目次情報記憶部７と、制御部２からの情報又は命令に基づいて目次情報記憶部７に格納された情報を検索し、検索結果を制御部２へ送信するための目次情報検索部４と、電子化された医学書の解説情報を格納するための医療情報記憶部８と、制御部２からの情報又は命令に基づいて医療情報記憶部８に格納された情報を検索し、検索結果を制御部２へ送信するための医療情報検索部５と、制御部２からの情報又は命令によって検索結果又解説を表示するための表示部９と、を有する。
履歴記憶部１０は、図１２に示すように、過去に検索した病名を格納する。症状情報記憶部６は、図１３に示すように、「症状」と「項目番号」と「関連する病気」の対応関係のテーブルを有する。
【００２８】
次に、本例の医療情報検索装置を用いた検索手順について説明する。本例の医療情報検索装置を用いた検索手順は、図２を参照して説明した医療情報検索装置の第１の例を用いた検索手順と略同一である。従って、以下に、図２の検索手順を参照し、主として医療情報検索装置の第１の例を用いた検索手順と異なるステップを説明する。
【００２９】
先ず、検索した病名を履歴記憶部１０に格納する手順を説明する。ユーザが、図２のステップ１０２にて、症状として、例えば「だるい・疲れやすい」「眠れない・眠りすぎ」を選択し、ステップ１０７にて、検索結果として「糖尿病」を含む複数の病名のリストが表示され、ユーザが、ステップ１０８にて、「糖尿病」を選択したとする。制御部２は、検索した履歴として「糖尿病」を履歴記憶部１０に格納する。こうして、ユーザが検索した病名の履歴が履歴記憶部１０に蓄積される。図１２は履歴記憶部１０の登録内容を示し、ユーザが過去に「高血圧症」「糖尿病」を検索したことを示す。
【００３０】
履歴記憶部１０に過去の検索履歴が格納された状態にて、ユーザが再度、本例の医療情報検索装置を用いて病気を検索するものとする。ユーザが、図２のステップ１０２にて、症状として、「頭が痛い」を選択したとする。制御部２は、症状情報検索部３に、ユーザが入力した「症状」を送信する。更に、履歴記憶部１０は、制御部２の命令に基づいて、症状情報検索部３に、「過去に検索した病名」を送信する。
【００３１】
ステップ１０４にて、症状情報検索部３は、受信した「症状」と「過去に検索した病名」の両者に基づいて、症状情報記憶部６より「項目番号」を検索する。本例では、症状情報記憶部６は、図１３に示すように、「症状」と「項目番号」と「関連する病気」の対応関係のテーブルを有する。
【００３２】
例えば、ユーザが入力した「症状」が「頭が痛い」であり、履歴記憶部１０に格納されている「過去に検索した病名」が「糖尿病」「高血圧症」である場合、図１３に示すように、２つの情報に共通した項目番号は「８６」「８７」である。従って、症状情報検索部３は、検索結果として項目番号「８６」「８７」を制御部２に送信する。
【００３３】
本例では、ステップ１０５を省略し、ステップ１０６に進む。ステップ１０６にて、制御部２は症状情報検索部３より送信された項目番号を目次情報検索部４へ送信する。目次情報検索部４は、目次情報記憶部７から、項目番号に対応する「表示データ」と「解説へのリンク」の情報を読み出す。
【００３４】
例えば、図５に示すように、項目番号「８６」に対応する「表示データ」は「脳梗塞」であり、「解説へのリンク」は「８７７」である。また、項目番号「８７」に対応する「表示データ」は「動膜硬化症」であり、「解説へのリンク」は「８７８」である。
【００３５】
ステップ１０７にて、制御部２は受信した情報から表示データを表示部９にリスト表示する。図１４は表示部９の画面に表示された病状のリストを示す。図示のように、「脳梗塞」と「動膜硬化症」が表示される。尚、履歴記憶部１０に記憶された「過去に検索した病名」も表示される。
ここでは、表示部９の画面に「過去に検索した病名」を表示したが、ユーザが入力した症状に対応する病気のリストの残りの部分を表示してもよい。
【００３６】
ステップ１０８にて、ユーザはそのリストの中から解説を見たい項目を選択する。図１４はユーザが、「動脈硬化症」を選択した場合を示す。上述のように、ユーザが選択した「動脈硬化症」は履歴記憶部１０の「過去に検索した病名」のリストに加えられる。
【００３７】
ステップ１０９にて、制御部２は「動脈硬化症」の「解説へのリンク」である「８７８」に対応した表示データを読み出し、表示部９に送信する。ステップ１１０にて、表示部９は「動脈硬化」の解説を画面に表示する。
【００３８】
図１５を参照して、本発明による医療情報検索装置の第３の例を説明する。本例の医療情報検索装置は、図１１に示した医療情報検索装置と比較して、履歴記憶部の代わりにしおり記憶部１２が設けられている点が異なり、それ以外は、図１１に示した医療情報検索装置と同様であってよい。
【００３９】
履歴記憶部１０は検索の結果の病名を「自動的に」格納するが、しおり記憶部１２は、ユーザが特定の操作、例えば、特定のキーを押下したときに、検索結果の病名を格納する。図１６は、しおり記憶部１２に格納された病名の例を示す。症状情報記憶部６は、図１３に示すように、「症状」と「項目番号」と「関連する病気」の対応関係のテーブルを有する。
【００４０】
先ず、検索した病名をしおり記憶部１２に格納する手順を説明する。図２のステップ１０７にて、検索された病名のリストとして「高脂血症」が表示されているとき、又はステップ１１０にて、ユーザが選択した病名である「高脂血症」の解説が表示されているとき、ユーザが特定の操作、例えば、登録キーの押下を行うと、その病名「高脂血症」がしおり記憶部１２に登録される。
【００４１】
こうして、しおり記憶部１２に過去の検索履歴が格納された状態にて、ユーザが再度、本例の医療情報検索装置を用いて病気を検索するものとする。ユーザが、図２のステップ１０２にて、症状として、「頭が痛い」を選択したとする。制御部２は、症状情報検索部３に、ユーザが入力した「症状」を送信する。更に、しおり記憶部１２は、制御部２の指令に基づいて、症状情報検索部３に、「過去に検索した病名」を送信する。ステップ１０４にて、症状情報検索部３は、受信した「症状」と「過去に検索した病名」の両者に基づいて、症状情報記憶部６より「項目番号」を検索する。
【００４２】
例えば、ユーザが入力した「症状」が「頭が痛い」であり、しおり記憶部１２に格納されている「過去に検索した病名」が「高脂血症」である場合、図１３に示すように、２つの情報に共通した項目番号は「８６」である。従って、症状情報検索部３は、検索結果として項目番号「８６」を制御部２に送信する。
【００４３】
ステップ１０６にて、制御部２は症状情報検索部３より送信された項目番号を目次情報検索部４へ送信する。目次情報検索部４は、目次情報記憶部７から、項目番号に対応する「表示データ」と「解説へのリンク」の情報を読み出す。
例えば、図５に示すように、項目番号「８６」に対応する「表示データ」は「脳梗塞」であり、「解説へのリンク」は「８７７」である。
【００４４】
ステップ１０７にて、制御部２は受信した情報を表示部９に出力し、表示部９は表示データを表示する。図１７は表示部９の画面に表示された病状のリストを示す。図示のように、「脳梗塞」が表示される。尚、しおり記憶部１２に記憶された「過去に検索した病名」も表示される。上述のように、このとき、ユーザが、所定の操作を行うと、「脳梗塞」はしおり記憶部１２の「過去に検索した病名」のリストに加えられる。
【００４５】
ステップ１０８にて、ユーザは病状のリストの中から解説を見たい項目を選択する。図１４はユーザが、「脳梗塞」を選択した場合を示す。
ステップ１０９にて、制御部２は「脳梗塞」の「解説へのリンク」に対応した表示データを読み出し、表示部９に送信する。ステップ１１０にて、表示部９は「脳梗塞」の解説を画面に表示する。上述のように、このとき、ユーザが、所定の操作を行うと、「脳梗塞」はしおり記憶部１２の「過去に検索した病名」のリストに加えられる。
【００４６】
以上、本発明の実施の形態について説明したが、本発明は、上述の実施の形態に限定されるものではなく、特許請求の範囲に記載された発明の範囲にて、様々な変更が可能であることは当業者に理解されよう。
【００４７】
【発明の効果】
本発明によれば、症状を入力することにより、病名ばかりでなく、更に、その病気に関する情報を得ることができる利点がある。
本発明によれば、医学書を電子化したデータベースを使用するから、医療情報ベータベースを作成する必要がない利点を有する。
【００４８】
本発明によれば、過去に検索した病名が記録されるから、同一人が病気に関する情報を得る場合に、検索時間及び検索操作が簡単化されることができる利点がある。
本発明によれば、過去に検索した病名が記録されるから、同一人が自己の病歴を知ることが出きる利点がある。
【図面の簡単な説明】
【図１】本発明による医療情報検索装置の第１の例の構成を表すブロック図である。
【図２】本発明による医療情報検索装置を使用して医療情報検索処理の手順を示すフローチャートである。
【図３】本発明による医療情報検索装置の表示部に表示される症状選択画面の例を示す説明図である。
【図４】本発明による医療情報検索装置の症状情報記憶部が格納する情報の例を示す説明図である。
【図５】本発明による医療情報検索装置の目次情報記憶部が格納する情報の例を示す説明図である。
【図６】本発明による医療情報検索装置の目次情報記憶部が格納する情報の他の例を示す説明図である。
【図７】本発明による医療情報検索装置の表示部に表示される病名検索結果の例を示す説明図である。
【図８】本発明による医療情報検索装置の表示部に表示される病名検索結果の他の例を示す説明図である。
【図９】本発明による医療情報検索装置の医療情報記憶部が格納する情報の例を示す説明図である。
【図１０】本発明による医療情報検索装置の表示部に表示される解説表示画面の例を示す説明図である。
【図１１】本発明による医療情報検索装置の第２の例の構成を表すブロック図である。
【図１２】本発明による医療情報検索装置の履歴記憶部が格納する情報の例を示す説明図である。
【図１３】本発明による医療情報検索装置の症状情報記憶部が格納する情報の例を示す説明図である。
【図１４】本発明による医療情報検索装置の表示部に表示される病名検索結果の例を示す説明図である。
【図１５】本発明による医療情報検索装置の第３の例の構成を表すブロック図である。
【図１６】本発明による医療情報検索装置のしおり記憶部が格納する情報の例を示す説明図である。
【図１７】本発明による医療情報検索装置の表示部に表示される病名検索結果の例を示す説明図である。
【符号の説明】
１…入力部、　２…制御部、　３…症状情報検索部、　４…目次情報検索部、５…医療情報検索部、　６…症状情報記憶部、　７…目次情報記憶部、　８…医療情報記憶部、　９…表示部、　１０…履歴記憶部、　１２…しおり記憶部。
【図１】
2004118566.tif 000003
【図２】
2004118566.tif 000004
【図３】
2004118566.tif 000005
【図４】
2004118566.tif 000006
【図５】
2004118566.tif 000007
【図６】
2004118566.tif 000008
【図７】
2004118566.tif 000009
【図８】
2004118566.tif 000010
【図９】
2004118566.tif 000011
【図１０】
2004118566.tif 000012
【図１１】
2004118566.tif 000013
【図１２】
2004118566.tif 000014
【図１３】
2004118566.tif 000015
【図１４】
2004118566.tif 000016
【図１５】
2004118566.tif 000017
【図１６】
2004118566.tif 000018
【図１７】
2004118566.tif 000019